(57)【特許請求の範囲】
【請求項１】
マット板及び同板に配設された温水パイプを備える床暖房用温水マットであって；
該温水パイプの端部に継手付き接続管を有し、
該継手の開口を覆うカバーが設けられており、
上記カバーが帯状のシートからなり、該シートが上記マット板に接合されており、接合を剥がすことにより上記継手開口を露出させることを特徴とする床暖房用温水マット。
【請求項２】
上記カバーを外した後も、該カバーが上記マット板又は接続管に付着したままであることを特徴とする請求項１記載の床暖房用温水マット。
【請求項３】
上記シートの両端に接着部が形成されており、
一端の接着部を剥がすことにより継手開口を露出させ、他端はマット板に接着されたまま残ることを特徴とする請求項１又は２記載の床暖房用温水マット。
【請求項４】
上記マット板の上面に伝熱シートが貼られており、
上記シートの他端が上記マット板と上記伝熱シートの間に挟まれていることを特徴とする請求項３記載の床暖房用温水マット。
【請求項５】
マット板及び同板に配設された温水パイプを備える床暖房用温水マットであって；
該温水パイプの端部に継手付き接続管が設けられており、
上記マット板には、上記接続管を収める凹部が形成されており、
さらに、該凹部内で接続管を固定しておく手段が設けられており、
上記固定手段が、継手開口を覆うカバーを兼ね、
上記固定手段が帯状のシートからなり、該シートが上記マット板に接合されており、接合を剥がすことにより上記継手開口を露出させることを特徴とする床暖房用温水マット。
【請求項６】
上記固定手段の両端に接着部が形成されており、
一端の接着部を剥がすことにより継手開口を露出させ、他端はマット板に接着されたまま残ることを特徴とする請求項５記載の床暖房用温水マット。
【請求項７】
マット板及び同板に配設された温水パイプを備える床暖房用温水マットであって；
該温水パイプの端部に継手付き接続管が設けられており、
上記マット板には、上記接続管を収める凹部が形成されており、
上記凹部の上記接続管の継手が位置する部分に、指入れ用となる凹部が形成されており、
上記マット板の開いた側面及び下面を覆うシートが設けられていることを特徴とする床暖房用温水マット。
【請求項８】
上記マット板の上面に伝熱シートが貼られており、
上記シートの一端が上記マット板と上記伝熱シートの間に挟まれていることを特徴とする請求項７記載の床暖房用温水マット。
【発明の詳細な説明】
【０００１】
【発明の属する技術分野】
本発明は、床暖房用の温水マットに関する。特には、敷設時の作業性を向上させるよう改良を加えた温水マットに関する。
【０００２】
【背景技術】
図３は、床暖房用温水マットの構造例を示す図であり、（Ａ）は平面図、（Ｂ）は側面図、（Ｃ）は下面図、（Ｄ）は（Ａ）におけるＤＤ断面の図である。
床暖房用の温水マット１は、マット板３、温水パイプ５、伝熱シート７等で構成されている。
【０００３】
マット板３は発泡ポリエチレン等の軽量な断熱材で作られている。マット板３の寸法は、既存の床に設置される後付け式のもので、在来工法木造建築の場合、幅２５５mm程度、長さ９００mm程度、厚さ４０mm程度である。なお、大きさは根太の幅に合わせた寸法になっており、根太幅が広い場合は寸法も大きくなる。マット板３の上面には、温水パイプ溝が蛇行するよう形成されており、温水パイプ５がはめ込まれている。温水パイプ５は架橋ポリエチレン等の可撓性のある材料で作られ、パイプ内には定常時に約６０℃の温水が流れる。マット板３及び温水パイプ５の上面には、アルミ箔からなる伝熱シート７が貼られている。伝熱シート７は温水パイプ５から放出される熱をマット板３の上面に万遍なく伝え、床面を均等に暖房できる。
【０００４】
マット板３は床暖房が設置される床の面積に応じて複数枚敷設される。隣り合うマット板３の温水パイプ５の端部同士が連結されて各マット板３の温水パイプ５が連通する。
【０００５】
温水パイプ５の両端部は、連結作業がしやすいように可撓性をもっている。この端部は、温水配管の傷を防ぎ、断熱性を向上させるための配管（遮熱管）である蛇腹状配管５ａとなっており、マット板３の下面から外に出ている。蛇腹状配管５ａの長さは１５cm程度である。この外に出た部分はマット３の側面の凹部１１に収められている。
図４は、温水パイプの継手の構造を示す図である。
外に出た部分の先端の一方にはオス継手９ａ、他方にはメス継手９ｂが設けられている。
オス継手９ａの先端には２本の環状の溝が切られており、Ｏリング１３がはめ込まれている。先端にはさらにフランジ１５とホック１７が形成されている。オス継手９ａがメス継手９ｂに挿入されると、メス継手９ｂはＯリング１３との摩擦で固定される。このとき、フランジ１５はメス継手９ｂの先端に当接するとともに、ホック１７がメス継手９ｂを挟み込んで固定する。
【０００６】
次に、温水マットを床に設置する方法について説明する。
図５は、温水マットが設置される床の構造の一例を示す図である。
図６は、温水マット設置後の床の下面を示す斜視図である。
この例は、後付け式でかつ床下から床板の下面に温水マットを当てて敷設する方式である。
床板１９は、一般的に大引２１と呼ばれるほぼ平行に配列された木材に支えられている。大引２１は通常１０５mm角の角材で、所々で束２３に支えられている。隣り合う大引２１間のピッチは約９１０mmである。大引２１の上には、大引２１とほぼ直交して根太２５が配列されている。根太２５は通常幅４０mm×高さ４５mmの角材である。隣り合う根太２５間の間隔は通常約３０３mmである。根太２５の上にはフローリング等の床板１９が貼られている。
【０００７】
温水マット１は、上面が根太２５の上面と同じ高さ位置となるよう、隣り合う根太２５間に配置される。このとき、ある温水マット１のオス継手が隣り合う温水マット１のメス継手と並ぶように配置される。このとき、温水マット１の端部が大引２１の上に挿入されて仮置きする。この状態で、図６に示すようにマット固定板２７（詳細後述）を根太２５に直角となるように温水マット１の裏面に押し当てて根太２５に固定する。
【０００８】
図７は、マット固定板の構造を示す図であり、（Ａ）は平面図、（Ｂ）は側面図、（Ｃ）は下面図である。
マット固定板２７は、長さが９０９mm、幅が４５mm、厚さ１２mmの小根太２８からなる。小根太２８の上面には、長さ２５０ mm 、厚さ５mmの発泡ポリエチレン２９ａが、端部では２６．５mm、中間部では５３mmの間隔を開けて固定されている。小根太２８の下面には、長さ２５０mm、厚さ２mmの発泡ポリエチレン２９ｂが、上面の発泡ポリエチレンと同じ間隔で固定されている。床暖房が設置される床の根太の高さに応じて発泡ポリエチレンの厚さの面を選ぶ。選ばれた面の発泡ポリエチレンをマット板に向かうように配置して、発泡ポリエチレン間の小根太２８の露出した部分を根太２５に当てて固定する。
【０００９】
マット板３をマット固定板２７で根太２５に固定した後、マット板３の側面の凹部１１から温水パイプ５の端部を下に引き出す。そして、あるマット板３のオス継手９ａと、隣り合って配置されたマット板３のメス継手９ｂを上述の方法により連結して、各マット板３の温水パイプ５を連通させる。
【００１０】
【発明が解決しようとする課題】
既設の床に下から温水マットを敷設する際、温水マットの搬入や設置作業は、ごみやほこりが散乱している施工環境の悪い床下で行われる。そのため、搬入中に温水パイプの継手にごみが付着することがある。このごみが温水パイプの内部に入り込むとパイプ内の温水の循環に支障をきたすおそれがある。また継手にごみが付着したまま作業を行うと、継手同士が完全に連結されず、連結部で水漏れを起こすこともある。
【００１１】
あるいは、温水パイプ端部が床下の構造物に当たって損傷するおそれがある。
【００１２】
本発明は、上記の課題を解決するためになされたものであって、パイプ連結作業時に温水パイプ内へごみが侵入したり継手へごみが付着することを防止し、作業を効率的に行える床暖房用温水マットを提供することを目的とする。
【００１３】
【課題を解決するための手段】
上記の課題を解決するため、本発明の第１態様の床暖房用温水マットは、  マット板及び同板に配設された温水パイプを備える床暖房用温水マットであって；該温水パイプの端部に継手付き接続管を有し、  該継手の開口を覆うカバーが設けられており、上記カバーが帯状のシートからなり、該シートが上記マット板に接合されており、接合を剥がすことにより上記継手開口を露出させることを特徴とする。
施工前や施工途中まで継手及び継手の開口部が覆われているため、継手へごみが付着したり、開口部から侵入することを防ぐことができる。
【００１４】
この態様においては、  上記カバーを外した後も、該カバーが上記マット板又は接続管に付着したままであることが好ましい。継手の連結作業終了後に外したカバーを回収する必要がなく（ゴミにならず）、作業時間を短縮することができる。なお、継手にかぶせるキャップのようなものをカバーとしてもよいが、その場合、キャップをひものようなものでパイプに連結しておいて、キャップを外した後も下に落ちないようにすることが好ましい。
【００１５】
本発明においては、上記カバーが帯状のシートからなり、該シートが上記マット板に接合されており、接合を剥がすことにより上記継手開口を露出させる。このとき、  上記シートの両端に接着部が形成されており、一端の接着部を剥がすことにより継手開口を露出させ、他端はマット板に接着されたまま残るようにすることも好ましい。
シートの一端の接着部を剥がす操作を片手で簡単に行うことができ、作業性が向上する。また、シートの他端部がマット板に接着されたままであり、連結作業後にシートを回収する必要がない。
【００１６】
本態様の床暖房用温水マットにおいては、  上記マット板の上面に伝熱シートが貼られており、  上記シートの他端が上記マット板と上記伝熱シートの間に挟まれていることとしてもよい。シートの他端を確実にマット板に固定することができ、作業時の不用意なシート剥がれを防ぐことができる。
【００１７】
本発明の第２態様の床暖房用温水マットは、  マット板及び同板に配設された温水パイプを備える床暖房用温水マットであって；  該温水パイプの端部に継手付き接続管が設けられており、  上記マット板には、上記接続管を収める凹部が形成されており、  さらに、該凹部内で接続管を固定しておく手段が設けられており、上記固定手段が、継手開口を覆うカバーを兼ね、上記固定手段が帯状のシートからなり、該シートが上記マット板に接合されており、接合を剥がすことにより上記継手開口を露出させることを特徴とする。
温水マットの搬入時や設置時に接続管がマット板から離れて垂れることがないため、持ち運びやすくなる。また、接続管が他の物体に触れることがなくなり、接続管の継手が損傷したり管内にごみが入ることを防ぐことができる。
【００１８】
この態様においては、固定手段を、継手の開口を覆うカバーと兼用するので、継手から温水パイプ内にごみが入ることを防ぐこともできる。さらに、固定手段が帯状のシートからなり、シートがマット板に接合されており、接合を剥がすことにより継手開口を露出させることとすることで、片手で簡単に継手を取り出すことができる。また、上記固定手段の両端に接着部が形成されており、一端の接着部を剥がすことにより継手開口を露出させ、他端はマット板に接着されたまま残ることとすれば、継手の連結作業終了後にこのカバーをマット板に残しておくことにより、作業終了後にカバーを回収する必要がない。
【００１９】
本発明の第３態様の床暖房用温水マットは、  マット板及び同板に配設された温水パイプを備える床暖房用温水マットであって；  該温水パイプの端部に継手付き接続管が設けられており、  上記マット板には、上記接続管を収める凹部が形成されており、  上記凹部の上記接続管の継手が位置する部分に、指入れ用となる凹部が形成されおり、上記マット板の開いた側面及び下面を覆うシートが設けられていることを特徴とする。
接続管をマット板の表面から突出することなく凹部に収納することができ、搬入時や設置時の作業のじゃまにならない。さらに、指入れ用の凹部を形成することで、継手の接続時に接続管を取り出す作業が簡単になる。
さらに、上記マット板の開いた側面及び下面を覆うシートが設けられているので、継手を保護し、継手へのゴミの付着を防止することができる。さらに、上記マット板の上面に伝熱シートが貼られており、上記シートの一端が上記マット板と上記伝熱シートの間に挟まれていることとすれば、継手を連結した後にシートがマット板に残ったままであり、回収する必要がない。
【００２０】
【発明の実施の形態】
以下、図面を参照しつつ説明する。
図１（Ａ）は、本発明の１実施例に係る床暖房用温水マットの温水パイプ継手部周辺を裏面から見た斜視図である。図１（Ｂ）は、カバーの詳細を示す平面図である。なお、この例のカバー３０は透明シートからなる。
床暖房用温水マット１は、マット板３、温水パイプ５、伝熱シート７等を備える。なお、本実施例の温水マット１全体の基本的な構成は、図３の温水マットと同じであり、その説明は省略する。
【００２１】
マット板３の長手方向の側辺のほぼ中央には、側面及び下面に開いた溝１１が形成されている。温水パイプ５の両端部は、連結作業がしやすいように可撓性をもち、さらに配管の傷を防ぎ、断熱性を向上させるための配管（遮熱管）である蛇腹状配管５ａとなっている。この蛇腹状配管５ａはマット板３の下面から外に出ている。蛇腹状配管５ａの長さは１５cm程度である。蛇腹状配管５ａはこの溝１１内に収められている。溝１１は温水パイプ５の蛇腹状配管５ａをスッポリ収容し、温水パイプ５はマット板３の側面及び下面から突き出ることがない。溝１１の、温水パイプ露出部５ａ先端の継手９ｂが位置する部分には、マット板３の下面に沿って、マット板３の内方向に延びる溝（指入れ凹部）１１ｘが形成されている。この溝１１ｘは継手９ｂを取り出すときに指を入れる。そのため、継手９ｂをつまみやすく作業しやすい。
【００２２】
凹部１１は以下の部分からなる。
１１ａ：マット板３が大きく切り取られた部分、
１１ｂ：１１ａの一側壁で温水パイプ５ａが出てくる面、
１１ｄ：マット板３の下側端部がえぐられた形の切り欠きで、温水パイプの蛇腹状配管５ａはここに収まっている、
１１ｃ：１１ｄのマット板３の残った部分、スロープ状で、ここに温水パイプの蛇腹状配管５ａが沿っている。
【００２３】
マット板３の継手の部分には、継手９ｂを覆うようにカバー３０が設けられている。このカバー３０は、図１（Ｂ）に示すようにほぼ長方形で、長手方向の一端部３０ｂが、マット板３上面と伝熱シート７の間に差し込まれて接着されて固定されている。長手方向の他の端部３０ｃは、マット板３の下面に取り外し可能に固定されている。このように、継手９ｂはカバー３０で覆われごみが付着することがない。また、マット板３の外に出ている温水パイプ端部はマット板３の溝１１内に収められ、カバー３０で固定されているので、マット板３の側面や下面から飛び出すことがない。カバー３０にはさらに折り込み部３０ａが設けられている。この折り込み部３０ａはカバー本体の長方形の部分の側方に舌状に突き出ている。同部３０ａは、カバー３０がマット板３に固定される際に内側に折り込まれて継手９ｂの開口部を覆う。これにより、さらに継手の開口部からごみが入りにくくなっている。
【００２４】
カバー３０の具体例について詳細に説明する。
この例のカバー３０は、ポリエチレンフィルム等の材料で作られる。厚さは０．２mm程度である。カバーの形状は、約１００mm×３５mmの長方形で、長手方向の端部から約２８mmの位置の側辺に約１７mm×１７mmの折り込み部３０ａが設けられている。折り込み部寄りの長手方向端部の裏面には、幅約２８mmに両面テープが貼られ固定部３０ｂとなっている。長手方向の他の端部裏面には、幅約１５mmに両面テープが貼られて取り外し部３０ｃとなっている。
【００２５】
カバー３０の取り付け方法について説明する。なお、このカバー取り付けは、床暖房用温水マットの生産工場内で生産工程の一つとして行われる。
最初に、カバー３０の折り込み部３０ａが形成された側辺３０ｄを、マット板３の溝１１の先端面に合わせ、固定部３０ｂをマット板３の側面と伝熱シート７下のマット板３の上面に貼り付ける。固定部３０ｂはマット板３の側面及び上面に接着し、さらに上面では上から伝熱シート７に挟まれて外れないように強固に固定される。そして、折り込み部３０ａを溝１１内に折り込み、継手９ｂの開口を覆う。最後に、カバー３０を温水パイプの継手９ａと指入れ溝１１ａを覆うようにかぶせ、取り外し部３０ｃをマット板３の下面に接着する。このようにすることで、温水パイプ５がマット板３から飛び出したり、継手９ｂにごみが侵入することを防ぐことができる。なお、固定部３０ｂや取り外し部３０ｃには、両面テープを貼っておいて、接着時に保護テープを剥がしてから接着することもできる。
【００２６】
次に、継手の接続作業について説明する。
図２は、継手接続作業が終了した後の状態を示す下から見た斜視図である。
温水マット１は、上面が根太２５の上面と同じ高さ位置となるよう、隣り合う根太２５間に配置される。このとき、ある温水マット１のオス継手が隣り合う温水マット１のメス継手と並ぶように配置される。次に、温水マット１の端部が大引２１の上に挿入されて仮置きする。この状態で、図６に示すようにマット固定板２７を根太２５に直角となるように温水マット１の裏面に押し当てて根太２５に固定する。
【００２７】
この状態で、最初にカバー３０の取り外し部３０ｃを剥がす。この接着は両面テープで行われているため、簡単に片手で剥がすことができる。また、固定部３０ｂは伝熱シート７に挟まれて固定されているため、この作業によって剥がれることはない。次に、指入れ溝１１ａに指を入れ、温水パイプの継手９ｂを溝１１から下方向に引き出し、隣り合う温水パイプの継手と連結する。カバーの固定部３０ｂは、マット板３と伝熱シート間７に挟まれて固定されたままとする。すなわち、カバー３０はマット板３に固定されたまま垂れ下がった状態で放置される。
【００２８】
【発明の効果】
以上の説明から明らかなように、本発明によれば、温水パイプの継手及び継手開口部を覆うカバーを設けたことにより、パイプ連結作業時に温水パイプ内へのごみの侵入や継手へのごみの付着を防止することができる。カバーを外した後も、カバーがマット板に付着したままであるため、継手の連結作業終了後に外したカバーを回収する必要がなく（ゴミにならず）、作業時間を短縮することができる。
【００２９】
さらに、温水パイプの端部の継手付き接続管をマット板に形成された凹部内に固定しておく手段が設けられていることにより、温水マットの搬入時や設置時に接続管がマット板から離れて垂れることがないため、持ち運びやすくなる。また、接続管が他の物体に触れることがなくなり、接続管の継手が損傷したり管内にごみが入ることを防ぐことができる。さらに、マット板の凹部の接続管の継手が位置する部分に、指入れ用となる凹部が形成されているため、接続管をマット板の表面から突出することなく凹部に収納することができ、搬入時や設置時の作業のじゃまにならない。さらに、指入れ用の凹部を形成することで、継手の接続時に接続管を取り出す作業が簡単になる。
【図面の簡単な説明】
【図１】（Ａ）は、本発明の１実施例に係る床暖房用温水マットの温水パイプ継手部周辺を裏面から見た斜視図である。（Ｂ）は、カバーの詳細を示す平面図である。
【図２】継手接続作業が終了した後の状態を示す下から見た斜視図である。
【図３】床暖房用温水マットの構造例を示す図であり、（Ａ）は平面図、（Ｂ）は側面図、（Ｃ）は下面図、（Ｄ）は（Ａ）におけるＤＤ断面の図である。
【図４】温水パイプの継手の構造を示す図である。
【図５】温水マットが設置される床の構造の一例を示す図である。
【図６】温水マット設置後の床の下面を示す斜視図である。
【図７】マット固定板の構造を示す図であり、（Ａ）は平面図、（Ｂ）は側面図、（Ｃ）は下面図である。
【符号の説明】
１  温水マット                      ３  マット板
５  温水パイプ                      ７  伝熱シート
９  継手                          １１  溝（凹部）
１３  Ｏリング                      １５  フランジ
１７  ホック                        １９  床板
２１  大引き                        ２３  束
２５  根太                          ２７  マット固定板
２８  小根太                        ２９  発泡ポリエチレン
３０  カバー
【図１】
0003738950.tif 000002
【図２】
0003738950.tif 000003
【図３】
0003738950.tif 000004
【図４】
0003738950.tif 000005
【図５】
0003738950.tif 000006
【図６】
0003738950.tif 000007
【図７】
0003738950.tif 000008